(57)【要約】【課題】  使用時の消費電力を低減することにより長時間連続の連続使用が可能な紛失防止装置を提供する。【解決手段】  送信器と受信器とよりなり、送信器と受信器とが所定間隔以上離隔したことを通知する紛失防止装置において、送信器は、所定の信号を送信する送信手段と、周期的に送信手段を動作させて所定の信号を送信させる送信制御手段とを有し、受信器は、所定の信号を受信する受信手段と、通知を行う通知手段と、送信手段が動作する周期に同期して受信手段を間欠的に動作させることにより所定の信号を受信させる受信制御手段とを有し、受信制御手段は、受信手段が所定回数連続して所定の信号を受信できなかったときに、通知手段に通知を行わせることとした。【選択図】図１
2006228048.tif 000002
【特許請求の範囲】
【請求項１】
任意の対象物に取付けて所定の信号を送信する送信器と、この信号を受信する受信器とよりなり、前記送信器と前記受信器とが所定間隔以上離隔したことを通知する紛失防止装置において、
前記送信器は、前記所定の信号を送信する送信手段と、周期的に前記送信手段を動作させて前記所定の信号を送信させる送信制御手段とを有し、
前記受信器は、前記所定の信号を受信する受信手段と、前記通知を行う通知手段と、前記送信手段が動作する周期に同期して前記受信手段を間欠的に動作させることにより前記所定の信号を受信させる受信制御手段とを有し、
前記受信制御手段は、前記受信手段が所定回数連続して前記所定の信号を受信できなかったときに、前記通知手段に前記通知を行わせることを特徴とする紛失防止装置。
【請求項２】
前記送信制御手段は、前記送信手段を動作させる周期を変更可能としたことを特徴とする請求項１に記載の紛失防止装置。
【請求項３】
前記受信制御手段は、前記所定の信号を最初に受信するまでの間、継続的に前記受信手段を動作させることにより、前記送信手段が動作する周期と前記受信手段を動作させる周期とを同期させることを特徴とする請求項１又は請求項２に記載の紛失防止装置。
【請求項４】
前記送信器は、任意の対象物に着脱自在とし、
前記受信器は、前記送信器が前記対象物から脱離したことを通知可能としたことを特徴とする請求項１〜請求項３のいずれか１項に記載の紛失防止装置。
【請求項５】
前記送信制御手段は、前記送信器が前記対象物から脱離した時点から所定時間、前記送信手段の動作を停止させ、その後、再度所定の周期で前記送信手段を動作させることを特徴とする請求項４に記載の紛失防止装置。
【発明の詳細な説明】
【技術分野】
【０００１】
本発明は、送信器と受信器とよりなり、送信器と受信器とが所定間隔以上離隔したことを通知する紛失防止装置に関するものである。
【背景技術】
【０００２】
従来より、携帯する任意の対象物に、所定の信号を継続的に送信する送信器を取付けるとともに、この送信器が送信する所定の信号を継続的に受信する受信器を携帯しておき、送信器を取付けた対象物を置き忘れた場合や、その対象物が盗まれた場合に、送信器と受信器とが所定間隔以上離隔したことを送信器が発信する信号に基づいて検知して、送信器を取付けた対象物が紛失したことを通知する忘れ物防止装置が考案されていた（たとえば、特許文献１参照。）
【特許文献１】特開平６−４４７５号公報
【発明の開示】
【発明が解決しようとする課題】
【０００３】
ところが、上記従来の忘れ物防止装置は、送信器により常時所定の信号を送信させるとともに、受信器により常時この所定の信号を受信させていたため、送信器及び受信器の電池の消耗が比較的早く、長期間にわたる連続使用に対して耐えうるものではなかった。
【０００４】
また、送信器が対象物から脱離した場合に、送信器と受信器が所定間隔以上離隔していなければ報知を行わなかったため、使用者は、このような場合に、対象物が紛失したことに気付くことができなかった。
【課題を解決するための手段】
【０００５】
そこで、請求項１に係る本発明では、任意の対象物に取付けて所定の信号を送信する送信器と、この信号を受信する受信器とよりなり、送信器と受信器とが所定間隔以上離隔したことを通知する紛失防止装置において、送信器は、所定の信号を送信する送信手段と、周期的に送信手段を動作させて所定の信号を送信させる送信制御手段とを有し、受信器は、所定の信号を受信する受信手段と、通知を行う通知手段と、送信手段が動作する周期に同期して受信手段を間欠的に動作させることにより所定の信号を受信させる受信制御手段とを有し、受信制御手段は、受信手段が所定回数連続して所定の信号を受信できなかったときに、通知手段に通知を行わせることとした。
【０００６】
また、請求項２に係る本発明では、請求項１に記載の紛失防止装置において、送信制御手段は、送信手段を動作させる周期を変更可能とした。
【０００７】
また、請求項３に係る本発明では、請求項１又は請求項２に記載の紛失防止装置において、受信制御手段は、所定の信号を最初に受信するまでの間、継続的に受信手段を動作させることにより、送信手段が動作する周期と受信手段を動作させる周期とを同期させることとした。
【０００８】
また、請求項４に係る本発明では、請求項１〜請求項３のいずれか１項に記載の紛失防止装置において、送信器は、任意の対象物に着脱自在とし、受信器は、送信器が対象物から脱離したことを通知可能とした。
【０００９】
また、請求項５に係る本発明では、送信制御手段は、請求項４に記載の紛失防止装置において、送信器が対象物から脱離した時点から所定時間、送信手段の動作を停止させ、その後、再度所定の周期で送信手段を動作させることとした。
【発明の効果】
【００１０】
本発明では、以下に記載するような効果を奏する。
【００１１】
請求項１に係る本発明では、任意の対象物に取付けて所定の信号を送信する送信器と、この信号を受信する受信器とよりなり、送信器と受信器とが所定間隔以上離隔したことを通知する紛失防止装置において、送信器は、所定の信号を送信する送信手段と、周期的に送信手段を動作させて所定の信号を送信させる送信制御手段とを有し、受信器は、所定の信号を受信する受信手段と、通知を行う通知手段と、送信手段が動作する周期に同期して受信手段を間欠的に動作させることにより所定の信号を受信させる受信制御手段とを有し、受信制御手段は、受信手段が所定回数連続して所定の信号を受信できなかったときに、通知手段に通知を行わせることとしたため、送信手段及び受信手段は、所定の周期で動作状態と待機状態とを繰り返すこととなり、待機状態では、ほとんど電力を消費することがない、これにより、送信器及び受信器の電源として用いる電池の耐用時間を可及的に延長することができ、長期間にわたる連続使用に対して耐えうる紛失防止装置とすることができる。
【００１２】
また、請求項２に係る本発明では、請求項１に記載の紛失防止装置において、送信制御手段は、送信手段を動作させる周期を変更可能としたため、この紛失防止装置の使用者が電池の耐用時間を重視したい場合には、送信手段及び受信手段を動作させる周期を長く設定すればよく、また、送信器と受信器とが所定間隔以上離隔してから報知するまでの時間を極力短縮したい場合には、送信手段及び受信手段を動作させる周期を短く設定すればよいので、使用者の要求に柔軟に対応できる紛失防止装置とすることができる。
【００１３】
また、請求項３に係る本発明では、請求項１又は請求項２に記載の紛失防止装置において、受信制御手段は、所定の信号を最初に受信するまでの間、継続的に受信手段を動作させることにより、送信手段が動作する周期と受信手段を動作させる周期とを同期させることとしたため、送信手段を動作させる周期を任意に変更しても、この送信手段が送信する所定の信号を受信手段により確実に受信することができる。
【００１４】
また、請求項４に係る本発明では、請求項１〜請求項３のいずれか１項に記載の紛失防止装置において、送信器は、任意の対象物に着脱自在とし、受信器は、送信器が対象物から脱離したことを通知可能としたため、送信器が対象物から脱離したことに気付かずに、その対象物を紛失してしまうことを未然に防止することかできる。
【００１５】
また、請求項５に係る本発明では、請求項４に記載の紛失防止装置において、送信制御手段は、送信器が対象物から脱離した時点から所定時間、送信手段の動作を停止させ、その後、再度所定の周期で送信手段を動作させることとしたため、送信器が対象物から脱離した場合は、受信器が一定の時間に限り通知を行う。これにより、この紛失防止装置の使用者は、一定時間だけ通知が行われ、その後、自動的に通知が停止されたことにより送信器が対象物から脱離したことを容易に認識することができ、受信器側に特別な設定や操作を行うことなく、送信器が対象物から脱離したことを確実に認識することができる。
【発明を実施するための最良の形態】
【００１６】
以下、本発明に係る紛失防止装置の実施の形態について、図面を参照して説明する。
【００１７】
図１に示すように、紛失防止装置１は、所定の信号Ｓ１を送信する送信器２と、この送信器２が送信する所定の信号Ｓ１を受信する受信器３とにより構成している。
【００１８】
この紛失防止装置１は、送信器２を予め任意の対象物に取り付けておき、受信器３を携帯して使用するものである。
【００１９】
そして、送信器２と受信器３とが所定間隔以上離隔したときに、受信器３がその旨を、この紛失防止装置の使用者に通知することによって、送信器２を取り付けた対象物が紛失することを防止するようにしている。
【００２０】
なお、本実施の形態において、送信器２は、送信器２と受信器３とが所定間隔として５メートル以上離隔したときに、受信器３が受信できなくなる程度の電界強度を有する所定の信号Ｓ１を送信するように設定しているが、所定間隔は、これに限定されるものではなく任意に変更して設定することができる。
【００２１】
また、この送信器２は、所定の時間間隔を空けて、周期的に所定の信号Ｓ１を送信するように構成しており、ここでは、初期設定として１０秒に１回の周期で所定の信号Ｓ１を送信するように設定するようにしている。
【００２２】
このように、送信器２は、所定の信号Ｓ１を１０秒おきに間欠送信するようにしているため、所定の信号Ｓ１を送信しない１０秒間では待機状態となりほとんど電力を消費することがない。
【００２３】
これにより、送信器２を動作させる電池の耐用時間を可及的に延長することができる。
【００２４】
また、この送信器２には、所定の信号Ｓ１を送信して、次に所定の信号Ｓ１を送信するまでの時間間隔を変更するための間隔変更スイッチ４を備えている。
【００２５】
そして、使用者がこの間隔変更スイッチ４をＬ（Long）の方向へ摺動させることにより所定の信号Ｓ１を送信する時間間隔を長くすることができ、Ｓ（Short）の方向へ摺動させることにより所定の信号Ｓ１を送信する時間間隔を短くすることができ、具体的には、５秒〜３０秒の間で所定の信号Ｓ１を送信する時間間隔を変更できるように構成している。
【００２６】
このように、所定の信号Ｓ１を送信する時間間隔を変更可能としたことにより、使用者が送信器２の連続使用時間を重視したい場合には、所定の信号Ｓ１を送信する時間間隔が長くなるように設定すればよく、また、送信器２と受信器３とが所定間隔以上離隔してから報知するまでの時間を極力短縮したい場合には、所定の信号Ｓ１を送信する時間間隔が短くなるように設定すればよいので、使用者の要求に柔軟に対応できる紛失防止装置とすることができる。
【００２７】
一方、受信器３は、送信器２が所定の信号Ｓ１を送信する周期に同期して、所定の信号Ｓ１を受信するように構成している。
【００２８】
すなわち、受信器３も送信器２と同様に、所定の時間間隔を空けて、間欠的に所定の信号Ｓ１を受信するように構成している。
【００２９】
そのため、送信器２が１０秒に１度ずつ所定の信号Ｓ１を送信するように設定されているときには、受信器３も送信器２の動作に同期して１０秒間に１度ずつ所定の信号Ｓ１を受信するようにしている。
【００３０】
また、この受信器３は、送信器２が所定の信号Ｓ１を送信する時間間隔を使用者により変更された場合に、送信器２が所定の信号Ｓ１を送信する周期に自動的に同期して、所定の信号Ｓ１を受信するように構成している。
【００３１】
そして、この受信器３は、所定の信号Ｓ１を所定回数連続して受信できなかったときに、送信器２と受信器３とが所定間隔以上離隔したことを使用者に通知するようにしている。
【００３２】
具体的には、受信器３が所定の信号Ｓ１を１０秒おきに受信し、３回連続して所定の信号Ｓ１を受信できなかったときに、送信器２と受信器３とが５メートル以上離隔したと判断して、その旨を使用者に通知するようにしている。
【００３３】
このときの受信器３による通知は、受信器３に通知手段として設けたＬＥＤ（発光ダイオード）５を点灯又は点滅させることによって行う他、同じく受信器３に通知手段として設けたスピーカー２４（図４参照。）からブザー音や音声メッセージを発生させることにより行うようにしている。
【００３４】
また、この受信器３は、上記のように送信器２と受信器３とが所定間隔以上離隔したときに通知を行う監視モードの他に、送信器２と受信器３とが所定間隔以内に接近したときに通知を行う探し物モードを備えている。
【００３５】
この監視モードと探し物モードとは、受信器３に設けたモード切替スイッチ６を操作することにより切替えることができる。
【００３６】
そして、このモード切替スイッチ６が中央に位置しているときは受信器３の電源がオフの状態であり、左側に位置しているときは監視モードの状態であり、右側に位置しているときは探し物モードの状態である。
【００３７】
探し物モードにおいて、受信器３は、継続的に所定の信号Ｓ１を受信するようにしており、所定の信号Ｓ１を受信すると、通知手段により通知を行うようにしている。
【００３８】
また、この受信器３は、通知手段であるスピーカー２４の音量を調整する音量調整スイッチ７を備えている。
【００３９】
これにより、探し物モード中に受信器３が通知を開始した場合に使用者は、スピーカー２４からの通知音を消し、ＬＥＤ５の光のみによる通知を行わせながら、周囲を気にすることなく紛失した対象物を探すことができる。
【００４０】
なお、図１中の符号８は、送信器２の送信用アンテナであり、符号９は、ストラップ用孔である。
【００４１】
このように構成した紛失防止装置１の送信器２を取り付ける対象物としては、特に、パスポートや携帯電話といった、紛失した際に個人情報が漏洩してしまうような貴重品に予め取り付けておくことが望ましい。
【００４２】
そして、この送信器２を携帯電話や鍵などの対象物に取り付ける場合には、ストラップ用孔９にストラップ用の紐体を通し、この紐体によって取り付けることができる。
【００４３】
また、この送信器２を、パスポートなどのようにストラップ用の紐体により取り付けることができない対象物に取り付ける場合には、図２に示す貼着用ケース１０に送信器２を嵌入して対象物に着脱自在に取り付けるようにしている。
【００４４】
図２に示すように、この貼着用ケース１０は、送信器２と略同一形状であって防水性と柔軟性を有する材料により形成した四角形箱体と、この四角形箱体の開口から外周へ広がったフランジとにより構成しており、このフランジの一側面（対象物との接合面）には、予め耐水性の両面テープを貼着している。
【００４５】
そして、送信器２を対象物に取り付ける際には、送信器２を貼着用ケース１０の四角形箱体に嵌入した後、両面テープの粘着面を対象物に貼着することにより取り付け、送信器２を対象物から取外す際には、貼着用ケース１０を対象物から剥離することにより取外すようにしている。
【００４６】
また、貼着用ケース１０のフランジは、柔軟性を有する材質であるため、送信器２を取り付ける部分の面が平坦でない対象物にも確実に取り付けることができる。
【００４７】
さらに、貼着用ケース１０は、防水性を有する材料により形成されているため、外気の湿気から送信器２内部のバッテリーや電子回路を守ることができるので、傘などのように水に濡れる可能性がある対象物に送信器２を取り付けることもできる。
【００４８】
また、送信器２には、使用者の意図に反して貼着用ケース１０が対象物から脱離したことを検出する脱離検出手段を備えている。
【００４９】
この脱離検出手段は、図３に示すように、送信器２の底面（送信器２と対象物との接合面）に設けた脱離センサ１１により構成している。
【００５０】
この脱離センサ１１は、送信器２内部に設けた第１内部端子１２及び第２内部端子１３と、第１内部端子１２に接続され送信器２の底面に設けた第1外部端子１２aと、第２内部端子１３に接続され、送信器２の底面から下側斜め下方へ突出した湾曲板状の板バネ１４の先端に取り付けられた第２外部端子１３aとから構成している。
【００５１】
そして、送信器２を対象物に取り付けていない状態では、第１外部端子１２aと第２外部端子１３aとは所定間隔離隔した対向状態となっており、第１内部端子１２と第２内部端子とが電気的に導通していない状態となっている。
【００５２】
一方、送信器２を対象物に取り付ける際には、貼着用ケース１０の上面を押圧しながら送信器２を対象物に貼着するため、板バネ１４が対象物から上側に押圧されて第１外部端子１２aと第２外部端子１３aとが当接した状態となり、第１内部端子１２と第２内部端子１３とが電気的に導通した状態となる。
【００５３】
このように脱離センサ１１を構成したことによって、使用者の意図に反して貼着用ケース１０が対象物から脱離した場合には、対象物から板バネ１４へかかっていた押圧が解除されて第１外部端子１２aと第２外部端子１３aとが離反して、第１内部端子１２と第２内部端子１３との導通が切断されることとなる。
【００５４】
送信器２では、この第１内部端子１２と第２内部端子１３との導通が切断されたことを検出することによって、送信器２が対象物から脱離したことを検出するようにしている。
【００５５】
そして、送信器２は、この脱離センサ１１により送信器２が対象物から脱離したことを検出すると、送信器２が対象物から脱離した時点から所定時間だけ、所定の信号Ｓ１の送信を停止し、その後、再度所定の時間間隔を空けて、周期的に所定の信号Ｓ１を送信するようにしている。
【００５６】
そのため、受信器３は、送信器２が対象物から脱離した場合に、送信器２が所定の信号Ｓ２の送信を停止している所定時間のうちの一定時間だけ通知手段による通知を行い、その後、自動的にこの通知を停止する。
【００５７】
これにより、使用者は、受信器３による一定時間だけの通知により、送信器が対象物から脱離したことを確実に認識することができる。
【００５８】
以下に、この紛失防止装置１を構成する送信器２及び受信器３の内部構成について説明する。
【００５９】
図４に示すように、送信器２は、送信用電源１５と、送信用アンテナ８と、送信用マイコン（Central Processing Unit）１６と、無線送信回路１７と、間隔変更スイッチ４と、送信用メモリ１８と、脱離センサ１１とを備えている。
【００６０】
そして、無線送信回路１７と、間隔変更スイッチ４と、送信用メモリ１８と、脱離センサ１１とは、すべてバスを介して送信用マイコン１６に接続されている。
【００６１】
送信用電源１５は、送信器２を構成する各電子回路に電力を供給するリチウムイオンバッテリーである。
【００６２】
無線送信回路１７は、送信用マイコン１６の制御に従って、受信器３へ所定の信号Ｓ１を送信する送信手段として機能する回路である。
【００６３】
送信用マイコン１６は、間隔変更スイッチ４と脱離センサ１１とから入力される情報に応じて無線送信回路１７の動作を制御する送信制御手段として機能する回路である。
【００６４】
特に、この送信用マイコン１６は、無線送信回路１７を周期的に動作させるような制御を行う。
【００６５】
すなわち、無線送信回路１７は、送信用マイコン１６の制御に従って、所定の信号Ｓ１を送信した後、所定時間動作を停止して待機状態となり、その後、再度所定の信号Ｓ１を送信するという動作を繰り返すことにより、間欠的に所定の信号Ｓ１を送信する。
【００６６】
また、この送信用マイコン１６は、送信用マイコン１６自体の動作及び送信用メモリの動作の基準となる基準クロックを生成する基準クロック生成回路を備えている。
【００６７】
そして、無線送信回路１７は、この基準クロック生成回路により生成した基準クロックの周波数を所定の信号Ｓ１の周波数として用いるようにしている。
【００６８】
これにより、この送信器２には、所定の信号Ｓ１を発生させるために一般に用いられる水晶発信器を設ける必要がないため、送信器２の小型化を図ることができる。
【００６９】
送信用メモリ１８は、送信用マイコン１６を動作させるためのプログラム、送信器２を受信器３に識別させるための識別情報などを予め記憶させておく記憶手段として機能するＲＯＭ（Read Only Memory）である。
【００７０】
また、この送信用メモリ１８には、無線送信回路１７を動作させる動作周期のパターンを少なくとも２種類以上記憶させておくようにしている。
【００７１】
間隔変更スイッチ４は、無線送信回路１７を動作させる動作周期のパターンを変更する際に使用者が操作する操作手段として機能するスイッチ回路である。
【００７２】
そして、この間隔変更スイッチ４が使用者により操作されると、送信用マイコン１６は、その操作に対応した動作周期のパターンを送信用メモリ１８から読み出し、その動作周期のパターンで無線送信回路１７を動作させ、所定の時間間隔をあけて所定の信号Ｓ１を送信させるようにしている。
【００７３】
このように無線送信回路１７の動作周期のパターンを変更することによって、無線送信回路１７が待機状態となる時間を使用者の要求に応じて自由に変更できる。
【００７４】
脱離センサ１１は、取り付けた対象物からこの送信器２が脱離したことを検出する回路である。
【００７５】
そして、この脱離センサ１１は、送信器２が対象物から脱離したことを検出すると、その検出結果を示す脱離信号を送信用マイコン１６へ入力する。
【００７６】
送信用マイコン１６は、脱離センサ１１から脱離信号が入力されると、所定時間無線送信回路１７の動作を停止させ、その後、再度動作を停止させる前の動作周期のパターンで所定の信号Ｓ１を送信させる制御を行う。
【００７７】
また、受信器３は、受信用電源１９と、受信用アンテナ２０と、受信用マイコン２１と、無線受信回路２２と、受信用メモリ２３と、モード切替スイッチ６と、スピーカー２４と、音量調整スイッチ７と、ＬＥＤ５とを備えている。
【００７８】
そして、無線受信回路２２と、受信用メモリ２３と、モード切替スイッチ６と、スピーカー２４と、ＬＥＤ５とは、すべてバスを介して受信用マイコン２１に接続されており、音量調整スイッチ７は、スピーカー２４に接続されている。
【００７９】
受信用アンテナ２０は、受信器３の内部基板（図示略。）上に配置したループアンテナである。
【００８０】
受信用電源１９は、受信器３を構成する各電子回路に電力を供給するリチウムイオンバッテリーである。
【００８１】
無線受信回路１７は、受信用マイコン２１の制御に従って、送信器２から送信される所定の信号Ｓ１を受信する受信手段として機能する回路である。
【００８２】
モード切替スイッチ６は、使用者の操作により監視モードと、受信器３の電源オフと、探し物モードとを切替えるスイッチ回路である。
【００８３】
受信用マイコン２１は、送信器２内部の無線送信回路１７が動作する周期に同期させて無線受信回路２２を間欠的に動作させることにより所定の信号Ｓ１を受信させる受信制御手段として機能する回路である。
【００８４】
ＬＥＤ５は、監視モードにおいて送信器２と受信器３とが所定間隔以上離隔したとき、及び、探し物モードにおいて送信器２と受信器３とが所定間隔以内に近接したときに、受信用マイコン２１の制御に従って発光する電子素子であり、スピーカー２４は、ＬＥＤ５が発光するときに同時に、出音する装置である。
【００８５】
特に、スピーカー２４は、監視モードにおいて送信器２と受信器が所定間隔以上離隔したときに、受信用マイコン２１の制御にしたがって、「忘れてるよ。」などといった音声メッセージを発生するようにしている。
【００８６】
このように、これらＬＥＤ５とスピーカ２４とは、使用者に対して送信器２を取り付けた対象物の紛失、及び、紛失した対象物との接近を通知する通知手段として機能するものである。
【００８７】
音量調整スイッチ７は、使用者の操作に応じてスピーカー２４から出音する音量を調整するスイッチ回路である。
【００８８】
受信用メモリ２３は、受信用マイコン２１を動作させるためのプログラム、スピーカー２４から出音させる音声データなどを予め記憶させておく記憶手段として機能するＲＯＭ（Read Only Memory）である。
【００８９】
また、この受信用メモリ１８には、送信用メモリ１８に記憶させた無線送信回路１７が動作する複数種類の動作周期のパターンと同一の動作周期のパターンも記憶させておく。
【００９０】
以下、このように構成した紛失防止装置１において、送信用マイコン１６及び受信用マイコン２１が行う制御と、無線送信回路１７及び無線受信回路２２が行う動作について図５〜図９を参照して説明する。
【００９１】
ここで、図５は、送信用マイコン１６が行う制御を示すフローチャートであり、図６は、受信用マイコン２１が行う制御を示すフローチャートである。
【００９２】
また、図７は、無線送信回路１７及び無線受信回路２２の動作を示すタイミングチャートであり、図８及び図９は、無線受信回路２２の動作タイミングと、無線受信回路２２が所定の信号Ｓ１を受信するタイミングと、ＬＥＤ５及びスピーカー２４が動作するタイミングを示すタイミングチャートである。
【００９３】
（送信用マイコン１６による制御）
まず、使用者が貼着用ケース１０に嵌入した送信器２を対象物に貼着すると、図５に示すように、送信用マイコン１６は、脱離センサ１１が出力する脱離信号を検出したか否かの判断を行う（ステップＰ１）。
【００９４】
ステップＰ１において送信用マイコン１６は、脱離信号を検出していないと判断した場合に処理をステップＰ２へ移し、脱離信号を検出したと判断した場合に処理をステップＰ３へ移す。
【００９５】
ステップＰ２において送信用マイコン１６は、無線送信回路１７に対して所定の信号Ｓ１を送信させる制御を行った後、無線通信回路１７を１０秒間待機状態とする制御を行うことにより無線送信回路１７に間欠動作を開始させ、その後、処理をステップＰ１に戻す。
【００９６】
このように、送信用マイコン１６は、脱離信号を検出するまでの間（図７中の時刻t１〜t２参照。）、順次ステップＰ１とステップＰ２の処理を繰り返し行うことによって、図７に示すように、無線送信回路１７を間欠的に動作させて１０秒ごとに所定の信号Ｓ１を送信させるようにしている。
【００９７】
一方、ステップＰ３において送信用マイコン１６は、無線送信回路１７に対して所定時間動作を停止させる制御を行った後、処理をステップＰ２へ移す。
【００９８】
このとき、送信用マイコン１６は、ステップＰ２の処理を３回行える時間（図７中の時刻t２〜t３参照。）だけ無線送信回路１７の動作を停止させ、その後、処理をステップＰ２へ移す。
【００９９】
このように、送信用マイコン１６は、無線送信回路１７に対して、送信器２が対象物に貼着している間、常時１０秒間隔で所定の信号Ｓ１を送信させる制御を行い、送信器２が対象物から脱離したときには、無線送信回路１７に対して、１０秒間隔で行う所定の信号Ｓ１の送信を３回分行わせない制御を行うようにしている。
（受信用マイコン２１による制御）
受信用マイコン２１は、図６に示すように、使用者によりモード切替スイッチ６が操作されると、使用者が選択したモードの判別を行う（ステップＴ１）。
【０１００】
ステップＴ１において受信用マイコン２１は、選択されたモードが探し物モードであると判断した場合に処理をステップＴ２へ移す。
【０１０１】
ステップＴ２において、受信用マイコン２１は、無線受信回路２２に継続動作を開始させる制御を行った後、処理をステップＴ３へ移す。
【０１０２】
ステップＴ３において受信用マイコン２１は、送信器２から送信される所定の信号Ｓ１を受信したか否かの判断を行う。
【０１０３】
ここで、受信用マイコン２１は、所定の信号Ｓ１を受信していないと判断した場合に処理をステップＴ２へ移し、無線受信回路２２の動作を継続させる一方、所定の信号Ｓ１を受信したと判断した場合に処理をステップＴ４へ移す。
【０１０４】
ステップＴ４において受信用マイコン２１は、ＬＥＤ５を発光させると共に、スピーカー２４からブザー音を出音させる制御を行うことにより、送信器２を取り付けた対象物が受信器３の半径５メートル以内にあることを使用者に通知する。
【０１０５】
また、ステップＴ１において、選択されたモードが監視モードであると判断した場合に、受信用マイコン２１は、処理をステップＴ５へ移す。
【０１０６】
ステップＴ５において受信用マイコン２１は、図７に示すように、無線受信回路２２を継続的に動作させる制御を行った後、処理をステップＴ６へ移す。
【０１０７】
ステップＴ６において受信用マイコン２１は、送信器２から送信される所定の信号Ｓ１を受信したか否かの判断を行う。
【０１０８】
ここで受信用マイコン２１は、所定の信号Ｓ１を受信していないと判断した場合に処理をステップＴ５へ戻す。
【０１０９】
つまり、受信用マイコン２１は、電源の投入から最初に所定の信号Ｓ１を受信するまでの間（図７中の時刻t０〜t１参照。）、ステップＴ５とステップＴ６の処理を順次繰り返して行い、この間、無線受信回路２２を継続して動作させる制御を行う。
【０１１０】
一方、ステップＴ６において受信用マイコン２１は、所定の信号Ｓ１を受信したと判断した場合に、受信した所定の信号Ｓ１から無線送信回路１７の動作周期を示すデータを取得した後、処理をステップＴ７へ移す。
【０１１１】
ステップＴ７において受信用マイコン２１は、ステップＴ６で取得した無線送信回路１７の動作周期を示すデータと、受信用メモリ２３に記憶されている無線受信回路２２の動作周期を示すデータとを照合し、同一の動作周期を示すデータを読み出し、そのデータに基づいて無線受信回路２２を動作させる制御を行う。
【０１１２】
すなわち、受信用マイコン２１は、所定の信号Ｓ１を受信した後、無線受信回路２２を１０秒間待機状態とする制御を行い、その後、無線受信回路２２に対して所定の信号Ｓ１を受信させる制御を行ってから処理をステップＴ８へ移す。
【０１１３】
このようにして受信用マイコン２１は、無線受信回路２２の動作周期と、無線送信回路１７の動作周期とを同期させる制御を行うようにしている。
【０１１４】
ステップＴ８において受信用マイコン２１は、所定の信号Ｓ１を受信したか否かを判断する。
【０１１５】
ここで、受信用マイコン２１は、所定の信号Ｓ１を受信したと判断した場合に、処理をステップＴ７へ戻し、無線送信回路１７が動作するタイミングと同じタイミングで無線受信回路２２を動作させる制御を行う（図７中の時刻t１以降参照。）。
【０１１６】
一方、ステップＴ８において受信用マイコン２１は、所定の信号Ｓ１を受信できなかったと判断した場合に、処理をステップＴ９へ移す。
【０１１７】
ステップＴ９において受信用マイコン２１は、連続して所定の信号Ｓ１を受信できなかった回数が３回であるか否かの判断を行う。
【０１１８】
ここで受信用マイコン２１は、連続して所定の信号Ｓ１を受信できなかった回数が３回でないと判断した場合に処理をステップＴ７へ戻し、３回であると判断した場合に処理をステップＴ１０へ移す。
【０１１９】
ステップＴ１０において受信用マイコン２１は、ＬＥＤ５を発光させると共に、スピーカー２４からブザー音を出音させる制御を行い（図８及び図９中の時刻t４参照。）、その後、処理をステップＴ１１へ移す。
【０１２０】
ステップＴ１１において、受信用マイコン２１は、所定の信号Ｓ１を受信したか否かの判断を行い、所定の信号Ｓ１を受信していないと判断した場合に処理をステップＴ１０へ戻し、所定の信号Ｓ１を受信したと判断した場合に処理をステップＴ７へ戻す。
【０１２１】
このとき、受信用マイコン２１は、図８に示すように、３回連続して所定の信号Ｓ１を受信できず、その後も連続して所定の信号Ｓ１を受信できない場合に、次に所定の信号Ｓ１を受信するまでの間、継続してＬＥＤ５とスピーカー２４を動作させる制御を行うことにより、使用者に送信器２と受信器３とが所定間隔以上離隔したことを通視する。
【０１２２】
一方、受信用マイコン２１は、３回連続して所定の信号Ｓ１を受信できなかったときに、ＬＥＤ５とスピーカー２４とを動作させる制御を行うが、４回目に、所定の信号Ｓ１を受信するとＬＥＤ５とスピーカー２４との動作を停止させる制御を行う（図９中の時刻t５参照。）。
【０１２３】
これは、前述したように、送信器２が対象物から脱離したことにより、送信用マイコン１６が所定の信号Ｓ１を３回連続して送信しなかったためである。
【０１２４】
すなわち、この受信用マイコン２１は、送信器２が対象物から脱離した場合に、図９中の時刻t４〜t５までの限られた時間だけＬＥＤ５とスピーカー２４とを動作させる制御を行うことにより、送信器２が対象物から脱離したことを確実に通知できるようにしている。
【０１２５】
また、以上説明してきた実施の形態では、１個の送信器２と１個の受信器３とにより構成した紛失防止装置１を例に挙げて説明を行ったが、本発明はこれに限られず、複数個の送信器２と１個の受信器３とによって紛失防止装置１を構成することができる。
【０１２６】
このように紛失防止装置１を構成する際には、各送信器２の送信用メモリ１８に、各送信器２を受信器３に識別させるためのそれぞれ異なる識別コードを記憶させておくと共に、受信器３の受信用メモリ２３に、これらの異なる識別コードを記憶させておく。
【０１２７】
各送信器２は、その送信器２の識別コードを含んだ所定の信号Ｓ１を送信し、受信器３は、受信した所定の信号Ｓ１に含まれる識別コードと、受信用メモリ２３に記憶している識別コードとを照合することにより複数の送信器２を個別に監視することができる。
【０１２８】
そして、受信器３は、図１に示すように複数個のＬＥＤ５を備えており、複数個の送信器２のいうちのいずれかの送信器２が受信器３から所定間隔以上離隔した場合には、その送信器２に対応したＬＥＤ５だけを点灯させることができるので、複数の送信器２のうち、どの送信器２を取り付けた対象物が紛失したのかを使用者に確実に通知することができる。
【０１２９】
また、本発明に係る紛失防止装置１は、所持品の紛失を防止する以外にも、様々な用途がある。
【０１３０】
例えば、１個の受信器３で監視可能な多数個の送信器２を幼稚園の園児や、病院の入院患者等に携帯させておくか、この送信器２を貼着した名札を付けさせておき、監督者が受信器３を携帯しておくことによって、監督者は容易に園児や患者の所在を確認することができる。
【０１３１】
このように紛失防止装置１を使用する場合には、１個の受信器３で監視可能な送信器２の数を可及的に多くすることが望ましいが、この紛失防止装置１では、識別コードとして８ビットのデータを用いると、１個の受信器３により最大２５６個の送信器２を監視することが可能となる。
【０１３２】
また、識別コードに用いるデータのビット数を増加させるだけで、１個の受信器３により監視可能な送信器２の数をさらに増加させることもできる。
【０１３３】
このように、１個の受信器３で多数個の送信器２を監視する場合には、受信器３に、パソコン等の情報処理装置と接続して情報を転送するためのインターフェース手段を設けておくと共に、情報処理装置に全ての識別コードを記憶させておく。
【０１３４】
こうしておけば、監督者は、通知手段が通知を行った際に、受信器３と情報処理装置とを接続し、この情報処理装置によって識別コードを照合することにより、どの送信器２に対応した通知であるかを即座に確認することができる。
【０１３５】
また、このように受信器３を構成すれば、この受信器３には通知手段としてＬＥＤ５を少なくとも１個設けておけばよいため、受信器３を構成する回路規模が縮小でき受信器３の小型化を図ることができる。
【０１３６】
なお、このように紛失防止装置１を用いる場合には、送信器２が送信する所定の信号Ｓ１の電界強度を本実施の形態で説明した送信器２よりも高く設定する必要があるが、この場合、上限として電波法上免許を必要としない電界強度とすることが望ましい。
【図面の簡単な説明】
【０１３７】
【図１】本発明に係る紛失防止装置を示す斜視図である。
【図２】送信器の貼着ケースを示す斜視図である。
【図３】脱離センサを示す送信器の部分断面図である。
【図４】送信器及び受信器の内部構成を示すブロック図である。
【図５】送信用マイコンによる制御を示すフローチャートである。
【図６】受信用マイコンによる制御を示すフローチャートである。
【図７】無線送信回路及び無線受信回路の動作を示すタイミングチャートである。
【図８】無線受信回路の動作と、所定の信号の受信状態と、ＬＥＤ及びスピーカーの動作を示すタイミングチャートである。
【図９】無線受信回路の動作と、所定の信号の受信状態と、ＬＥＤ及びスピーカーの動作を示すタイミングチャートである。
【符号の説明】
【０１３８】
１  紛失防止装置
２  送信器
３  受信器
４  間隔切替スイッチ
５  発光ダイオード
６  モード切替スイッチ
７  音量スイッチ
８  送信用アンテナ
９  ストラップ用孔
１０  貼着ケース
１１  脱離センサ
１２  第１内部端子
１２a  第１外部端子
１３  第２内部端子
１３a  第２外部端子
１４  板バネ
１５  送信用電源
１６  送信用マイコン
１７  無線送信回路
１８  送信用メモリ
１９  受信用電源
２０  受信用アンテナ
２１  受信用マイコン
２２  無線受信回路
２３  受信用メモリ
２４  スピーカ
【図１】
2006228048.tif 000003
【図２】
2006228048.tif 000004
【図３】
2006228048.tif 000005
【図４】
2006228048.tif 000006
【図５】
2006228048.tif 000007
【図６】
2006228048.tif 000008
【図７】
2006228048.tif 000009
【図８】
2006228048.tif 000010
【図９】
2006228048.tif 000011